【事件の表示】
　特許第２９８０２１０号「弾球遊技機」の特許に対する特許異議の申立てについて、次のとおり決定する。
【結　論】
　特許第２９８０２１０号の特許を維持する。
【理　由】
　特許２９８０２１０号（平成３年４月８日出願、平成１１年９月１７日設定登録。）の請求項に係る発明は、その特許請求の範囲の請求項に記載された事項により特定される下記のとおりのものと認める。
　「遊技盤に対して弾発された遊技球が該遊技盤の所要部位に設けられた特別入賞口ヘ入賞したことに基づき特別権利状態を発生するとともに、該特別権利状態の発生中に遊技球が始動入賞口ヘ入賞したことに基づき変動入賞装置を遊技者にとって有利な状態に変換するようにした弾球遊技機において、
　前記遊技盤に配設され複数の識別情報を可変表示可能な可変表示装置と、
　特定領域を通過する遊技球を検出して前記可変表示装置での可変表示を起生させるための検出手段と、
　前記検出手段により検出されて前記可変表示装置での可変表示を起生させた遊技球を保留可能であるとともに、当該保留した遊技球を前記特別入賞口或いは該特別入賞口を除く一般入賞口の何れかに移送して振り分け可能な保留振分手段と、
　を備え、
　前記保留振分手段は、
　周縁部に遊技球を１個宛保持可能な切欠状の球保持部が形成されるとともに該周縁部の所定部位が回転角度によって少なくとも前記特別入賞口を閉鎖可能に構成された回転体を有し、該回転体の回転方向の如何により、前記保持部に保持された遊技球を前記特別入賞口或いは一般入賞口の何れかに１個宛回転移送可能に構成され、
　前記検出手段により検出されて前記可変表示装置での可変表示を起生させた遊技球を、該可変表示の結果態様が導出されるまで前記保留振分手段により一時的に保留するとともに、導出された可変表示の結果態様に応じた方向に前記回転体が回転することにより、前記球保持部に保持された遊技球を前記特別入賞口或いは前記一般入賞口の何れかに１個宛回転移送して振り分けるようにしたことを特徴とする弾球遊技機。」
　申立人は、証拠として、本件特許出願前の出願であって本件特許出願後に出願公開された甲第１号証（特願平２−２７３６８９号（特開平４−１４６７８２号）、以下「先願明細書」という。）、及び、甲第２〜８号証（特開平３−７３１７９号公報、特開昭６３−２９２９８４号公報、特開昭６２−１５９６８０号公報、特開平２−２３２０８９号公報、特開昭６２−１１７５７９号公報、特開昭６２−２９２１８５号公報、特開昭６０−１９３４８４号公報）を提出し、請求項に係る発明は、上記先願明細書記載の発明と同一であり、特許法第２９条の２第１項の規定により特許を受けることができないのものであるから、請求項に係る発明の特許を取り消すべき旨主張している。
　先願明細書には、下記の事項が図面とともに記載されている。
　「特別装置内に形成された特別通過領域を打玉が通過したことによって複数の表示結果を表示することが可能な可変表示装置が予め定めた表示結果を表示した場合に権利発生遊技状態とし、その権利発生遊技状態中に打球が始動口を通過したことに基づいて可変入賞球装置を遊技者にとって不利な第２の状態から遊技者にとって有利な第１の状態に変化させる弾球遊技機において、
　前記特別装置は、
　前記可変表示装置が表示結果を表示するまで前記特別通過領域を通過した打玉を停止する停止手段と、
　前記可変表示装置が、予め定めた表示結果を表示したときに前記停止手段で停止されている打玉を特定入賞領域に誘導し、予め定めた表示結果以外の表示結果を導出したときに前記停止手段で停止されている打玉を通常入賞領域に誘導する誘導手段と、を含むことを特徴とする弾球遊技機。」（特許請求の範囲）、
　「第１図ないし第４Ｃ図を参照して、第１実施例について説明する。第１図は、第１実施例に係る弾球遊技機の一例としてのパチンコ遊技機の遊技盤の拡大正面図である。図において、遊技盤１の表面の誘導レール２に囲まれる遊技領域３のほぼ中央には、本実施例の要部を構成する特別装置３０が配置されている。この特別装置３０の下方には、権利発生遊技状態となったときで後述する始動通過領域としての始動入賞口１２に打玉が入賞したことに基づいて作動される可変入賞球装置４が設けられている。可変入賞球装置４は、前記遊技盤１に取り付けられる取付基板５に設けられており、その取付基板５に開設された長方形状の入賞領域６を開閉する開閉扉７（アタッカーと表現する場合もある）によって構成されている。」（第２頁右下欄第５〜２０行）、
　「特別通過領域３７は、打玉が通過し得るように上下方向に貫通しており、その内部に図柄停止検出器３８を内蔵している。」（第５頁右上欄第７〜９行）、
　「特別通過領域３７の下方には、ほぼ円盤状の流路切換部材３９が配置されている。この流路切換部材３９は、遊技盤１の裏面に配置される切換モータ４３の正逆回転駆動により、所定の角度範囲内で揺動動作するものである。また、流路切換部材３９は、その中央上部が停止部４０として構成され、その停止部４０と前記特別通過領域３７とで打玉が当接した状態で停止している。
　更に、流路切換部材３９には、前記停止部４０の左右から円弧状に切り欠けられた転動部４１ａ，４１ｂが形成されており、流路切換部材３９が揺動したときに前記停止部４０で停止された打玉を側方に形成された通常入賞口４９又は特定入賞口５０に誘導するようになっている。また、流路切換部材３９には、前記転動部４１ａ，４１ｂの前面を覆うようにカバー板が斜め上方に延設され、該カバー板の上端に後方に向って係止突片４２ａ，４２ｂが突設されている。この係止突片４２ａ，４２ｂは、第２図に示すように、流路切換部材３９が揺動したときに前記特別通過領域３７の上部に侵入して特別通過領域３７に入ろうとする次位の打玉Ｐ２を特別通過領域３７に入らないように停止させるものである。」（第５頁石上欄第１８行〜左下欄第２０行）、
　「（可変表示装置の）停止時の表示結果が予め定めた表示結果と一致したとき、具体的には、左右の可変表示装置５３ａ，５３ｂで表示される数字が共に「７」であるときには、前記したように流路切換部材３９を正転させて権利発生遊技状態の発生又は消滅と関連させ、左右の可変表示装置５３ａ，５３ｂで表示される数字が共に「７」以外の数字であるときには、外れと判断されて流路切換部材３９を逆転させて権利発生遊技状態の発生又は消滅と関連させないようになっている。」（第６頁左下欄第１３行〜右下欄第３行）、
　「本実施例に係る特別装置３０は、権利発生遊技状態となったか否かの判断を可変表示装置５３ａ，５３ｂの表示結果と、その表示結果の表示後の停止されていた打玉が特定入賞口５０へ誘導されたこととの２つ現象によって判断できるように構成されているため、権利発生遊技状態となったか否かを確実に理解することができる。」（第６頁右下欄第７〜１４行）、
　「本発明に係る弾球遊技機においては、可変表示装置の表示結果が表示された後、停止手段での停止が解除されて誘導手段によって打玉が特定入賞領域又は通常入賞領域に誘導されるように構成されているので、遊技者は、権利発生遊技状態となったか否かの判断を可変表示装置の表示結果と、その表示結果の表示後の停止されていた打玉が特定入賞領域へ誘導されたことの２つの視覚的な現象によって判断でき、このため、権利発生遊技状態となったか否かを確実に理解することができる。」（第１２頁左上欄第１８行〜右上欄第９行）。
　請求項１に係る発明（以下「前者」という。）と先願明細書記載の発明（以下「後者」という。）とを対比すると、後者には、前者の「特別権利状態の発生中に遊技球が始動入賞口ヘ入賞したことに基づき変動入賞装置を遊技者にとって有利な状態に変換する」点について記載されていないし、示唆もない。
　すなわち、後者のものは「特別権利状態」が発生しても、その間に「遊技球が始動入賞口ヘ入賞」しない限り「変動入賞装置」は「遊技者にとって有利な状態に変換」されないものであり、この点は、上記甲第２〜８号証を参酌しても、先願明細書に実質的に記載されているとすることはできず、両者が同一のものであるとはいえない。
　したがって、特許異議申立ての理由及び証拠によっては、請求項に係る発明の特許を取り消すことはできない。
　また、他に本件の請求項に係る発明の特許を取り消すべき理由を発見しない。
　よって、結論のとおり決定する。
【異議決定日】
平成１２年８月９日（２０００．８．９）